(57)【特許請求の範囲】
【請求項１】
撮影手段により生成された映像データを蓄積する映像蓄積サーバと、当該映像蓄積サーバに蓄積された映像データを取得して記録媒体に書き込む記録媒体作成装置とを備えた記録媒体作成システムにおいて、
前記映像蓄積サーバは、前記記録媒体作成装置から映像データが要求されるとパスワードを生成して当該パスワードに基づき暗号化用の鍵を生成し、当該暗号化用の鍵を用いて前記映像データを暗号化して暗号化アーカイブファイルを生成し、
前記記録媒体作成装置は、記録媒体作成要求に応じて映像データを前記映像蓄積サーバに要求し、前記映像蓄積サーバから前記パスワードおよび前記暗号化アーカイブファイルを受信すると、前記パスワードに基づき復号用の鍵を生成し、当該復号用の鍵を用いて前記暗号化アーカイブファイルから映像データを取り出すとともに当該映像データを記録媒体に書き込み、書き込み済みの映像データを装置内から削除する、
ことを特徴とする記録媒体作成システム。
【請求項２】
請求項１記載の記録媒体作成システムにおいて、
前記撮影手段を有する映像記録装置を備え、
前記映像記録装置は、
前記撮影手段からの映像データを所定のファイル形式に変換する映像ファイル生成手段と、
前記映像ファイル生成手段で変換された映像データを、ネットワークを介して前記映像蓄積サーバへ送信する第１通信制御手段と、
を備えたことを特徴とする記録媒体作成システム。
【請求項３】
前記映像蓄積サーバは、
前記撮影手段で生成された映像データに基づきアーカイブファイルを生成するアーカイブファイル生成手段と、
暗号化のためのパスワードを生成するパスワード生成手段と、
前記パスワード生成手段で生成されたパスワードに基づき暗号化のための鍵を作成し、その鍵を用いて前記アーカイブファイル生成手段からのアーカイブファイルを暗号化する暗号化手段と、
前記暗号化手段からの暗号化アーカイブファイルとその暗号化に用いたパスワードを、ネットワークを介して前記記録媒体作成装置へ出力する第２通信制御手段と、
を備えたことを特徴とする請求項１記載の記録媒体作成システム。
【請求項４】
前記記録媒体作成装置は、
前記映像蓄積サーバからネットワークを介して暗号化アーカイブファイルとその暗号化に用いられたパスワードを取得する第３通信制御手段と、
前記第３通信制御手段で取得したパスワードを記録するパスワード管理手段と、
前記パスワード管理手段からのパスワードに基づき復号のための鍵を作成し、その鍵を用いて前記暗号化アーカイブファイルを復号する復号手段と、
前記復号手段で復号されたアーカイブファイルから映像データを取り出すアーカイブファイル解凍手段と、
前記アーカイブファイル解凍手段で取り出された映像データを符号化する映像符号化ファイル生成手段と、
前記映像符号化ファイル生成手段で符号化された映像データを記録ドライブにより記録媒体に記録させる記録媒体作成書込手段と、
前記記録媒体作成書込手段による記録媒体への記録終了時に前記暗号化アーカイブファイル、前記映像データ、前記符号化された映像データを削除するファイル削除手段と、
を備えたことを特徴とする請求項１記載の記録媒体作成システム。
【請求項５】
前記映像蓄積サーバの暗号化手段は、ＡＥＳ（Ａｄｖａｎｃｅｄ  Ｅｎｃｒｙｐｔｉｏｎ  Ｓｔａｎｄａｒｄ）またはＤＥＳ（Ｄａｔａ  Ｅｎｃｒｙｐｔｉｏｎ  Ｓｔａｎｄａｒｄ）のアルゴリズムを用いて暗号化することを特徴とする請求項３記載の記録媒体作成システム。
【請求項６】
前記映像蓄積サーバのアーカイブファイル生成手段は、ＴＡＲ（Ｔａｐｅ  Ａｒｃｈｉｖａｌ  ａｎｄ  Ｒｅｔｒｉｅｖａｌ  ｆｏｒｍａｔ）形式またはＺＩＰ形式でアーカイブファイルを生成することを特徴とする請求項３記載の記録媒体作成システム。
【請求項７】
前記映像蓄積サーバのパスワード生成手段は、固定されたパスワード、任意に変化させたパスワード、あるいは前記固定されたパスワードと前記任意に変化させたパスワードのいずれかを選択して、暗号化のためのパスワードを生成することを特徴とする請求項３記載の記録媒体作成システム。
【請求項８】
前記映像データが記録される記録媒体は、リムーバブル記録媒体であることを特徴とする請求項１から請求項７のうちのいずれか１項記載の記録媒体作成システム。
【発明の詳細な説明】
【技術分野】
【０００１】
この発明は、例えば撮影手段を有する映像記録装置で生成された映像ファイルを、ネットワークを介して記録媒体作成装置に送信し、記録媒体に記録する記録媒体作成システムに関するものである。
【背景技術】
【０００２】
従来の記録媒体作成システムとして、記録媒体作成装置が映像記録装置から映像ファイルを直接取得して記録媒体に記録する構成が開示されている。例えば、特許文献１によれば、記録媒体作成装置と映像記録装置を論理的に接続した後、記録媒体作成者が映像記録装置から記録媒体作成装置へ所望の映像ファイルを送信し、記録媒体作成装置内の記録媒体作成ソフトにより映像ファイルの符号化を行って記録媒体に記録するよう構成されている。
【先行技術文献】
【特許文献】
【０００３】
【特許文献１】特開２００７−２００５１８号公報
【発明の概要】
【発明が解決しようとする課題】
【０００４】
しかしながら、従来の記録媒体作成システムは、記録媒体作成装置に映像記録装置からの映像ファイルが残存するため、残存する映像ファイルが外部へ流出しやすいという課題があった。また、記録媒体作成者が映像ファイルを閲覧しながら映像記録装置から記録媒体作成装置へ映像ファイル送信するため、記録媒体作成者による映像ファイルの閲覧を防止することができないという課題があった。
【０００５】
この発明は、上記のような課題を解決するためになされたもので、映像記録装置の映像ファイルを記録媒体作成装置により記録媒体に記録した場合でも、映像ファイルの流出を防止するとともに記録媒体作成者による映像ファイルの閲覧を防止することができる記録媒体作成システムを提供することを目的とする。
【課題を解決するための手段】
【０００６】
この発明に係る記録媒体作成システムは、撮影手段により生成された映像データを蓄積する映像蓄積サーバと、当該映像蓄積サーバに蓄積された映像データを取得して記録媒体に書き込む記録媒体作成装置とを備えた構成において、映像蓄積サーバは、記録媒体作成装置から映像データが要求されるとパスワードを生成して当該パスワードに基づき暗号化用の鍵を生成し、当該暗号化用の鍵を用いて映像データを暗号化して暗号化アーカイブファイルを生成し、記録媒体作成装置は、記録媒体作成要求に応じて映像データを映像蓄積サーバに要求し、映像蓄積サーバからパスワードおよび暗号化アーカイブファイルを受信すると、パスワードに基づき復号用の鍵を生成し、当該復号用の鍵を用いて暗号化アーカイブファイルから映像データを取り出すとともに当該映像データを記録媒体に書き込み、書き込み済みの映像データを装置内から削除するものである。
【発明の効果】
【０００７】
この発明に係る記録媒体作成システムによれば、記録媒体作成要求に応じて映像データが要求されると暗号化アーカイブファイルおよび暗号化に用いたパスワードが作成され、暗号化アーカイブファイルおよび暗号化に用いたパスワードを受け取ると映像データを取り出すとともに記録媒体に書き込んで、書き込み済みの映像データを削除するよう構成したことにより、記録媒体作成者が映像ファイルに対して直接操作を行うことなく、自動で映像ファイルを記録媒体に記録することができる。その結果、記録媒体作成者による映像ファイルの閲覧を防止することができる。また、記録媒体への記録終了時に記録媒体作成装置内の映像ファイルを削除するよう構成したことにより、映像ファイルの流出を防止することができる。
【図面の簡単な説明】
【０００８】
【図１】この発明の記録媒体作成システムの構成を示す図である。
【図２】この発明の記録媒体作成システムの処理動作を示すシーケンス図である。
【発明を実施するための形態】
【０００９】
以下、この発明の実施の形態を、図面を参照しながら詳細に説明する。
実施の形態１．
図１は、この発明の記録媒体作成システム１の構成を示している。記録媒体作成システム１は、図１に示すように、撮影手段としてのカメラ１１を有する映像記録装置１０、映像蓄積サーバ２０、記録媒体へのデータ書き込みを行う記録ドライブ３１を有する記録媒体作成装置３０が、それぞれネットワーク１００を介して通信可能に接続され構成されている。
【００１０】
映像記録装置１０は、カメラ１１が生成した映像データを映像ファイルとして記録するよう機能し、カメラ１１に加え、映像ファイル生成手段１２、ファイルシステム１３、通信制御手段１４（第１通信制御手段）で構成されている。図１においては、カメラ１１を有する映像記録装置１０がネットワークを介して複数接続され設けられている。
【００１１】
カメラ１１は、映像データを生成する撮影手段として機能し、生成した映像データを出力する。
映像ファイル生成手段１２は、カメラ１１から取得した映像データを所定のファイル形式で映像ファイルに変換するよう機能し、その映像ファイルをファイルシステム１３に記録させる。
ファイルシステム１３は、映像ファイル生成手段１２からの映像ファイルを記録する記録手段として機能する。
通信制御手段１４は、ファイルシステム１３に記録された映像ファイルを取り出し、ネットワーク１００を介して映像蓄積サーバ２０へ送信するよう機能する。
【００１２】
映像蓄積サーバ２０は、映像記録装置１０からネットワーク１００を介して取得した映像ファイルに基づき暗号化アーカイブファイルを生成し、暗号化アーカイブファイルとその暗号化に用いたパスワードを記録媒体作成装置３０へ出力するよう機能し、通信制御手段２１、ファイルシステム２２、アーカイブファイル生成手段２３、パスワード生成手段２４、暗号化手段２５で構成されている。
【００１３】
通信制御手段２１は、ネットワーク１００を介して接続された映像記録装置１０および記録媒体作成装置３０との通信を制御するよう機能し、映像記録装置１０からネットワーク１００を介して映像ファイルを受信して取得する。また、通信制御手段２１は、暗号化手段２５からの暗号化アーカイブファイルとその暗号化に用いたパスワードを、ネットワーク１００を介して記録媒体作成装置３０へ送信する。
ファイルシステム２２は、通信制御手段２１が取得した映像ファイルを記録する。
【００１４】
アーカイブファイル生成手段２３は、映像記録装置１０からネットワーク１００を介して取得した映像ファイルに基づきアーカイブファイルを生成する。アーカイブファイル生成手段２３は、例えば複数の映像ファイルをまとめて圧縮処理し、一つのアーカイブファイルを生成する。このとき、アーカイブファイル生成手段２３は、例えばＴＡＲ（Ｔａｐｅ  Ａｒｃｈｉｖｅ  Ｆｏｒｍａｔ）、ＺＩＰなどのファイル形式でアーカイブファイルを生成することで複数の映像ファイルをまとめて１つのアーカイブファイルにすることができる。
【００１５】
パスワード生成手段２４は、映像ファイルを暗号化する鍵を作成するためのパスワードを生成する。パスワード生成手段２４は、パスワードを生成する際、例えば固定されたパスワード、任意に変化させたパスワード、あるいは前記固定されたパスワードと前記任意に変化させたパスワードのいずれかを選択して、暗号化のためのパスワードを生成することで、パスワードの安全性を確保することができる。
【００１６】
暗号化手段２５は、パスワード生成手段２４で生成したパスワードを用いてアーカイブファイル生成手段２３からのアーカイブファイルを暗号化する。暗号化手段２５は、例えばＡＥＳ（Ａｄｖａｎｃｅｄ  Ｅｎｃｒｙｐｔｉｏｎ  Ｓｔａｎｄａｒｄ）、ＤＥＳ（Ｄａｔａ  Ｅｎｃｒｙｐｔｉｏｎ  Ｓｔａｎｄａｒｄ）などのアルゴリズムを使用してアーカイブファイルの暗号化を行うことで、より高い安全性の暗号化処理を行うことができる。
【００１７】
記録媒体作成装置３０は、記録媒体へのデータ書き込みを行う記録ドライブ３１を有し、映像蓄積サーバ２０からネットワーク１００を介してパスワードと暗号化アーカイブファイルを取得し、そのパスワードに基づき暗号化アーカイブファイルを復号し、アーカイブファイルに含まれる映像ファイルを記録ドライブ３１を用いて記録媒体に記録するとともに、その記録終了時に装置内の映像ファイルを削除するよう機能する。記録媒体作成装置３０は、記録ドライブ３１に加え、通信制御手段３２（第３通信制御手段）、ファイルシステム３３、記録媒体作成ソフト４０で構成されている。
【００１８】
記録ドライブ３１は、記録媒体作成ソフト４０からの指示に従って記録媒体へのデータ書き込みを行うよう機能する。記録ドライブ３１がデータ書き込み可能な記録媒体は、特に限定しないが、例えばＤＶＤ（Ｄｉｇｉｔａｌ  Ｖｅｒｓａｔｉｌｅ  Ｄｉｓｃ）、ＵＳＢ（Ｕｎｉｖｅｒｓａｌ  Ｓｅｒｉａｌ  Ｂｕｓ）メモリ等のリムーバブル記録媒体を用いるよう構成してもよい。
【００１９】
通信制御手段３２は、ネットワーク１００を介して接続された映像蓄積サーバ２０との通信を制御するよう機能し、映像蓄積サーバ２０からネットワーク１００を介して暗号化アーカイブファイルとその暗号化に用いられたパスワードを受信して取得する。
【００２０】
ファイルシステム３３は、通信制御手段３２が取得した暗号化アーカイブファイルを記録する。ファイルシステム３３は、例えば暗号化ファイルシステムとしてのＥＦＳ（Ｅｎｃｒｙｐｔｉｎｇ  Ｆｉｌｅ  Ｓｙｓｔｅｍ）、ｄｍ−ｃｒｙｐｔ（Ｄｅｖｉｃｅ−Ｍａｐｐｅｒ  Ｃｒｙｐｔｏ）等を使用して構成してもよい。このように構成すれば、ファイルシステム３３は記録する映像ファイル等をさらに高い安全性で記録することができる。
【００２１】
記録媒体作成ソフト４０は、記録媒体に対しデータ書き込みを行うよう機能し、要求手段４１、パスワード管理手段４２、復号手段４３、アーカイブファイル解凍手段４４、映像符号化ファイル生成手段４５、記録媒体書込手段４６、ファイル削除手段４７で構成されている。
【００２２】
要求手段４１は、図示しない外部の操作手段を介して記録媒体作成者から記録媒体作成開始を指示する信号が入力されると、その信号に応じて、例えば通信制御手段３２からネットワーク１００を介して映像蓄積サーバ２０に対し映像ファイルダウンロード要求を行う。
【００２３】
パスワード管理手段４２は、通信制御手段３２で取得したパスワードを記録して管理するよう機能し、復号手段４３からの要求に応じてパスワードを渡すよう機能する。
復号手段４３は、パスワード管理手段４２からのパスワードに基づき復号のための鍵を作成し、その鍵を用いて暗号化アーカイブファイルを復号するよう機能する。復号手段４３は、暗号化アーカイブファイルに対する復号処理後に、復号に用いたパスワードを破棄する。
アーカイブファイル解凍手段４４は、復号手段４３で復号されたアーカイブファイルを解凍処理し、アーカイブファイルから映像ファイルを取り出すよう機能する。
映像符号化ファイル生成手段４５は、アーカイブファイル解凍手段４４で取り出された映像ファイルを符号化処理して映像符号化ファイルを生成するよう機能する。
記録媒体書込手段４６は、記録ドライブ３１を制御し、映像符号化ファイル生成手段４５で生成された映像符号化ファイルを記録媒体に記録させる。
【００２４】
ファイル削除手段４７は、記録媒体書込手段４６による記録媒体への記録終了時に、記録済みの映像ファイルに関連して記録媒体作成装置３０内に残存するデータを削除するよう機能する。ファイル削除手段４７は、例えばファイルシステム３３に記録されている暗号化アーカイブファイルと、そのアーカイブファイルから取り出した映像ファイルと、その映像ファイルが符号化された映像符号化ファイルとを削除する。
【００２５】
実施の形態１に係る記録媒体作成システム１の処理動作について説明する。図２は、記録媒体作成システム１の処理動作の一例を示すシーケンス図である。
はじめに、記録媒体作成ソフト４０のインストール時の記録媒体作成装置３０の処理動作ステップＳＴ１１〜ステップＳＴ１５を説明する。記録媒体作成ソフト４０は、記録媒体作成装置３０におけるインストール時に初期化処理を行い（ステップＳＴ１１）、ファイルシステム３３内でファイルを分類・整理するディレクトリを設定するためのディレクトリ設定要求をファイルシステム３３へ出力する（ステップＳＴ１２）。
ファイルシステム３３は、記録媒体作成ソフト４０からのディレクトリ設定要求を受けると、ディレクトリを作成するディレクトリ作成処理を行う（ステップＳＴ１３）。
【００２６】
記録媒体作成ソフト４０は、ディレクトリ設定要求に続いて、暗号化ファイルシステム設定要求をファイルシステム３３へ出力する（ステップＳＴ１４）。
ファイルシステム３３は、記録媒体作成ソフト４０からの暗号化ファイルシステム設定要求を受けると、ディレクトリ作成処理で作成されたディレクトリに対して、例えばファイル暗号化機能としてのＥＦＳ、ｄｍ−ｃｒｙｐｔ等を適用して暗号化ファイルシステムにするための暗号化ファイルシステム化処理を行う（ステップＳＴ１５）。
【００２７】
映像媒体作成システム１の映像記録装置１０においては、カメラ１１が図示しない撮影対象範囲を撮影してその映像データを生成することで映像データ生成処理を行う（ステップＳＴ１０１）。
映像ファイル生成手段１２は、カメラ１１からの映像データを映像ファイルに変換し、ファイルシステム１３に記録することで映像ファイル記録処理を行う（ステップＳＴ１０２）。
通信制御手段１４は、ファイルシステム１３から映像ファイルを抽出し、ネットワーク１００を介して映像蓄積サーバ２０へ送信することで映像ファイルアップロードを行う（ステップＳＴ１０３）。
映像蓄積サーバ２０において、通信制御手段２１は、映像記録装置１０からネットワーク１００を介して映像ファイルアップロードされた映像ファイルを受信すると、その映像ファイルをファイルシステム２２に記録する（ステップＳＴ１０４）。
【００２８】
ここで、記録媒体作成装置３０内の記録媒体作成ソフト４０は、記録媒体作成者から図示しない操作手段を介して記録媒体作成開始を示す信号が入力されると、記録媒体作成開始処理を行い（ステップＳＴ１０５）、要求手段４１が通信制御手段３２を介して映像蓄積サーバ２０へ映像ファイルダウンロード要求を送信する（ステップＳＴ１０６）。
【００２９】
映像蓄積サーバ２０は、記録媒体作成装置３０から映像ファイルダウンロード要求を受信すると、パスワード生成手段２４が暗号化に使用する鍵を生成するためのパスワードを生成するパスワード生成処理を行う（ステップＳＴ１０７）。パスワード生成手段２４は、例えば固定されたパスワード、随時ランダムに変化させたパスワードのいずれかを選択して生成する。このとき、通信制御手段２１は、パスワード生成手段２４が作成したパスワードをネットワーク１００を介して記録媒体作成装置３０へ送信する。
【００３０】
記録媒体作成装置３０は、通信制御手段３２が映像蓄積サーバ２０からパスワードを受信してダウンロードすると（ステップＳＴ１０８）、記録媒体作成ソフト４０のパスワード管理手段４２がパスワードを取得し記録するパスワード記録処理を行う（ステップＳＴ１０９）。
【００３１】
映像蓄積サーバ２０は、パスワード生成処理に続いて、アーカイブファイル生成手段２３がファイルシステム２２に記録された映像ファイルからアーカイブファイルを生成する。このとき、アーカイブファイル生成手段２３は、例えば複数の映像ファイルをまとめて圧縮し、ＴＡＲ、ＺＩＰ等のファイル形式で一つのアーカイブファイルを生成する。
暗号化手段２５は、パスワード生成手段２４からのパスワードに基づき暗号化のための鍵を生成し、その鍵を用いてアーカイブファイル生成手段２３からのアーカイブファイルを暗号化する暗号化アーカイブファイル生成処理を行う（ステップＳＴ１１０）。このとき、暗号化手段２５は、例えばＡＥＳ、ＤＥＳ等の暗号化手法を用いて暗号化を行う。
通信制御手段２１は、暗号化手段２５からの暗号化アーカイブファイルをネットワーク１００を介して記録媒体作成装置３０へ送信する。
【００３２】
記録媒体作成装置３０は、通信制御手段３２が映像蓄積サーバ２０から暗号化アーカイブファイルを受信してダウンロードすると（ステップＳＴ１１１）、暗号化アーカイブファイルをファイルシステム３３のディレクトリに記録する暗号化アーカイブファイル記録処理を行う（ステップＳＴ１１２）。
復号手段４３は、ファイルシステム３３のディレクトリから暗号化アーカイブファイルを読出して取得すると（ステップＳＴ１１３）、パスワード管理手段４２からパスワードを取得するためのパスワード入力処理を行う（ステップＳＴ１１４）。復号手段４３は、パスワード管理手段４２が取得したパスワードをもとにして復号のための鍵を作成し、その鍵を用いて暗号化アーカイブファイルを復号してアーカイブファイルをアーカイブファイル解凍手段４４に渡す。
【００３３】
アーカイブファイル解凍手段４４は、復号したアーカイブファイルの解凍処理を行い（ステップＳＴ１１５）、アーカイブファイル解凍後の映像ファイルをファイルシステム３３に記録するための映像ファイル書出し要求をファイルシステム３３に出力する（ステップＳＴ１１６）。
復号手段４３は、アーカイブファイル解凍手段４４から映像ファイル書出し要求が出力された後、復号に用いた鍵のパスワードを破棄する（ステップＳＴ１１７）。
【００３４】
ファイルシステム３３は、映像ファイル書出し要求に応じて、アーカイブファイル解凍手段４４からの映像ファイルを記録する映像ファイル記録処理を行う（ステップＳＴ１１８）。
【００３５】
映像符号化ファイル生成手段４５は、ファイルシステム３３から映像ファイルを読出して取得すると（ステップＳＴ１１９）、映像ファイルを符号化して映像符号化ファイルを生成するための映像符号化処理を行い（ステップＳＴ１２０）、映像符号化ファイルをファイルシステム３３に記録するための映像符号化ファイル書出し要求をファイルシステム３３に出力する（ステップＳＴ１２１）。
【００３６】
ファイルシステム３３は、映像符号化ファイル書出し要求に応じて、映像符号化ファイル生成手段４５からの映像符号化ファイルを記録する映像符号化ファイル記録処理を行う（ステップＳＴ１２２）。
【００３７】
記録媒体書込手段４６は、ファイルシステム３３から映像符号化ファイルを読出して取得すると（ステップＳＴ１２３）、記録ドライブ３１を制御し、映像符号化ファイル生成手段４５からの映像符号化ファイルを記録媒体に記録するための記録媒体作成処理を行う（ステップＳＴ１２４）。
【００３８】
ファイル削除手段４７は、記録媒体書込手段４６による記録媒体への記録終了時に、記録媒体作成装置３０のファイルシステム３３の映像ファイルと、映像符号化ファイルと、暗号化アーカイブファイルを削除するよう、ファイルシステム３３に対して削除要求を行う（ステップＳＴ１２５）。
ファイルシステム３３は、削除要求に応じて、暗号化アーカイブファイルと、映像ファイルと、映像符号化ファイルを削除する（ステップＳＴ１２６）。
【００３９】
記録媒体作成システム１は、このように処理動作を行うが、上記処理動作において映像ファイル書出し要求、映像ファイル記録処理、映像ファイル読出しを省略して、暗号化アーカイブファイル解凍処理と映像符号化処理を連続して実施してもよい。また、上記処理動作において映像符号化ファイル書出し要求、映像符号化ファイル記録処理、映像符号化ファイル読出しを省略して、映像符号化処理と記録媒体作成処理を連続して実施してもよい。
【００４０】
以上のように、実施の形態１の記録媒体作成システム１は、上記の構成としたことにより、記録媒体作成者が映像ファイルを閲覧することなく、映像記録装置１０から記録媒体作成装置３０へ映像ファイルを自動で送信させることができる。その結果、記録媒体作成者による映像ファイルの閲覧を防止することができるという効果が得られる。また、記録媒体への記録終了時に記録媒体作成装置３０のファイルシステム３３内の映像ファイルを削除するので、映像ファイルの流出を防止することができるという効果が得られる。
【００４１】
なお、本発明は、その発明の範囲内において、実施の形態の任意の構成要素の変形、もしくは実施の形態の任意の構成要素の省略が可能である。
【符号の説明】
【００４２】
１  記録媒体作成システム、１０  映像記録装置、１１  カメラ、１２  映像ファイル生成手段、１３  ファイルシステム、１４  通信制御手段（第１の通信制御手段）、２０  映像蓄積サーバ、２１  通信制御手段（第２の通信制御手段）、２２  ファイルシステム、２３  アーカイブファイル生成手段、２４  パスワード生成手段、２５  暗号化手段、３０  記録媒体作成装置、３１  記録ドライブ、３２  通信制御手段（第３の通信制御手段）、３３  ファイルシステム、４０  記録媒体作成ソフト、４１  要求手段、４２  パスワード管理手段、４３  復号手段、４４  アーカイブファイル解凍手段、４５  映像符号化ファイル生成手段、４６  記録媒体書込手段、４７  ファイル削除手段、１００  ネットワーク。
【図１】
0005637882.tif 000002
【図２】
0005637882.tif 000003